(57)【要約】  【課題】  簡単な構成で、狭いスペースにも配置することができ、しかも操作性の良いキー装置を提供する。  【解決手段】  キー３の後端部より上方へ短い板状のアーム３ａが延びており、これはその上端にて左右一対のヒンジ部３ａａを介して、左右に延在する中継部３ｂに接続されている。さらに、中継部３ｂの左右端部よりそれぞれ下方へと長板状のアーム３ｃがキー３を通り越して延びており、これはその各下端にてヒンジ部３ｃａを介して、隣接するキー（不図示）と連結するための連結部４に接続されている。使用者が矢印Ａで示すようにキー３の先端を押すと、ヒンジ部３ａａが撓んでアーム３ａが後方に傾きつつ、ヒンジ部３ｃａが撓んでアーム３ｃも後方に傾く。そして、キー３の後端部に設けられた押圧部３ｄにより、押しボタン６ａが押されてスイッチ６がＯＮされる。【選択図】      図１
2006216287.tif 000002
【特許請求の範囲】
【請求項１】
キーを押すことによりスイッチを操作するキー装置であって、
前記キーの後端部より上方へ延びる第１のアームと、該第１のアームの上端に位置する
第１のヒンジ部と、該第１のヒンジ部を介して前記第１のアームに接続され左右に延在す
る中継部と、該中継部の左右端部よりそれぞれ下方へと前記キーを通り越して延びる第２
のアームと、該第２のアームの各下端に位置する第２のヒンジ部とを備え、
前記キーの押圧時には、前記第１のヒンジ部と前記第２のヒンジ部とが互いに逆方向に
回転するようにしたことを特徴とするキー装置。
【請求項２】
キーを押すことによりスイッチを操作するキー装置であって、
前記キーの後端部より上方へ延びる第１のアームと、該第１のアームの上端に位置する
第１のヒンジ部と、該第１のヒンジ部を介して前記第１のアームに接続され左右に延在す
る中継部と、該中継部の左右端部よりそれぞれ下方へと前記キーを通り越して延び、更に
前方へと延びる第２のアームと、該第２のアームの各下端に位置する第２のヒンジ部とを
備え、
前記キーの押圧時には、前記第１のヒンジ部と前記第２のヒンジ部とが互いに逆方向に
回転するようにしたことを特徴とするキー装置。
【請求項３】
キーを押すことによりスイッチを操作するキー装置であって、
前記キーより所定の方向へ延びる第１のアームと、該第１のアームの先端に位置する第
１のヒンジ部と、該第１のヒンジ部より前記所定の方向と反対方向へ前記キーを通り越し
て延びる第２のアームと、該第２のアームの先端に位置する第２のヒンジ部とを備えたこ
とを特徴とするキー装置。
【請求項４】
前記キーの押圧時には、前記第１のヒンジ部と前記第２のヒンジ部とが互いに逆方向に
回転するようにしたことを特徴とする請求項１に記載のキー装置。
【請求項５】
前記第２のアームは、前記キーを通り越してから更に前記キーを押す方向と略反対方向
に延びていることを特徴とする請求項１又は請求項２に記載のキー装置。
【発明の詳細な説明】
【技術分野】
【０００１】
本発明は、例えばオーディオ機器，ビデオ機器等の電子機器等に適用して好適なキー装
置に関するものである。
【背景技術】
【０００２】
従来より、このような電子機器等には、使用者がキーを押すことにより機器の操作を行
うキー装置が採用されている。図５は、従来のキー装置の一例を示す図であり、同図（ａ
）は側面断面図、同図（ｂ）はキー部分の正面図である。同図に示すように、キー装置１
０１のキー１０３は、例えば電子機器のフロントパネル１０２の前面に開けられた開口孔
１０２ａから前方へ少し突出するようにして、フロントパネル１０２内に取り付けられて
いる。
【０００３】
ここではフロントパネルの前側上部に正面視左右方向に渡ってキー装置が配設される一
般的な構成を示している。但し、配設される位置はこれに限定されるものでは勿論なく、
例えばフロントパネルの前側左部或いは右部に上下方向に渡ってキー装置が配設される構
成としても良い。
【０００４】
キーの具体的な取付構成としては、例えば同図において、キー１０３の後端部より下方
へ板状のアーム１０３ａが延びており、これはその下端にて左右一対のヒンジ部１０３ａ
ａを介して、隣接するキー（不図示）と連結するための連結部１０４に接続されている。
連結部１０４は、フロントパネル１０２の前部内側面より後方に突設するボス１０５の先
端に取り付けられている。
【０００５】
この場合、正面視左右方向に連設する各ボス１０５の先端より延びる突起１０５ａ各々
に、連結部１０４の長手方向に交互に連設された取付孔１０４ａ或いは１０４ｂが嵌合し
ている。そして、例えば突起１０５ａを溶着させることにより、連結部１０４がボス１０
５の先端に固定されている。なお、キー装置１０１は例えば弾力性のある樹脂材料により
一体成形されている。
【０００６】
一方、キー１０３の後方にはスイッチ基板１０７が立設しており、この前面にはスイッ
チ１０６が装着されている。スイッチ１０６の先端には押しボタン１０６ａが設けられて
おり、ここが押されるとスイッチ１０６がＯＮとなる。さて、使用者が矢印Ａで示すよう
にキー１０３の先端を押すと、ヒンジ部１０３ａａが撓んでアーム１０３ａが後方に傾き
、キー１０３の後端部に設けられた押圧部１０３ｂにより、押しボタン１０６ａが押され
てスイッチ１０６がＯＮされる。なお、同図（ａ）ではキー１０３が押されていない状態
（自然状態）を破線で示し、押された状態（押圧状態）を実線で示している。
【０００７】
その他、押し釦装置として、押し釦を押圧すると、押し釦がヒンジ部を支点として回動
し、第１のバー部材の先端がスイッチを操作し、押し釦のさらなる押圧により第２のバー
部材の先端が受け部材の屈曲部に当接し、押し釦のそれ以上の押し込みが阻止される構成
のものが、特許文献１に開示されている。
【特許文献１】特開２０００−１８８４８５号公報
【発明の開示】
【発明が解決しようとする課題】
【０００８】
しかしながら、上記図５で示したような従来の構成では、使用者がキー１０３を押した
場合に、アーム１０３ａが後方に傾くことに伴い、キー１０３の先端が迫り上がることと
なる。キー操作は矢印Ａで示すように、斜め下方に向かって行うのが自然であるので、キ
ー１０３の先端が迫り上がると操作方向に逆らう動きとなり、使用者は違和感を覚えて操
作性が悪くなる。また、開口孔１０２ａの上部はキー１０３の当接を防止するため余分に
開けておかなくてはならず、美観を損ねる。
【０００９】
そこで、図６に示すように、キー１０３の後端部より上方へアーム１０３ａが延びた構
成、即ちヒンジ部１０３ａａをキー１０３の上側に配置した構成とすることが考えられる
。ここでの取付構成は上記の場合と同様である。但し、同図ではボス１０５が上側に配置
された状態の図示は省略している。この場合、使用者が矢印Ａで示すように斜め下方に向
かってキー１０３を押すと、アーム１０３ａが後方に傾くことに伴い、キー１０３の先端
が下がるので、自然なキー操作に沿った動きとなる。
【００１０】
ところが、同図のようにキー１０３下方に対して上方のスペースが少なく、スイッチ１
０６からボス１０５までの各寸法ａ，ｂを比較して分かるように、アーム１０３ａが下方
に延びるより上方に延びる方が短くなる場合、押圧部１０３ｂにより押しボタン１０６ａ
を押すためには、アーム１０３ａを相当傾けなくてはならない。そのため、キー１０３が
大きく下がることとなり、開口孔１０２ａの下端にキー１０３が当接する可能性がある。
【００１１】
こうなると、押圧部１０３ｂにより押しボタン１０６ａを十分に押すことができなくな
り、スイッチ１０６がＯＮされなくなる。そして、アーム１０３ａが短いことにより操作
感も重くなる。また、キー１０３が開口孔１０２ａの下端に当接することを防止するため
には、開口孔１０２ａの下部を相当余分に開けておかなくてはならず、極端に美観を損ね
る。以上のことは、上記特許文献１に記載の構成においても同様である。
【００１２】
なお、これらの問題は、上述したような一般的構成に限らず、キー装置が例えばフロン
トパネルの前側左部或いは右部に上下方向に渡って配設されている場合にも同様に生じる
。本発明は、以上のような問題点に鑑み、簡単な構成で、狭いスペースにも配置すること
ができ、しかも操作性の良いキー装置を提供することを目的とする。
【課題を解決するための手段】
【００１３】
上記目的を達成するために、本発明では、キーを押すことによりスイッチを操作するキ
ー装置であって、前記キーより所定の方向へ延びる第１のアームと、その第１のアームの
先端に位置する第１のヒンジ部と、その第１のヒンジ部より前記所定の方向と反対方向へ
前記キーを通り越して延びる第２のアームと、その第２のアームの先端に位置する第２の
ヒンジ部とを備えたことを特徴とする。
【００１４】
さらに、前記キー押圧時には、前記第１のヒンジ部と前記第２のヒンジ部とが互いに逆
方向に回転するようにしたことを特徴とする。
【００１５】
また、前記第２のアームは、前記キーを通り越してから更に前記キーを押す方向と略反
対方向に延びていることを特徴とする。
【発明の効果】
【００１６】
本発明によれば、簡単な構成で、狭いスペースにも配置することができ、しかも操作性
の良いキー装置を提供することができる。
【００１７】
具体的には、キーより所定の方向へ延びる第１のアームと、第１のアームの先端に位置
する第１のヒンジ部と、第１のヒンジ部より所定の方向と反対方向へキーを通り越して延
びる第２のアームと、第２のアームの先端に位置する第２のヒンジ部とを備え、キー押圧
時には、第１のヒンジ部と第２のヒンジ部とが互いに逆方向に回転するようにしたことに
より、キー自身の回転が或る程度打ち消されるので、従来からの問題点であるキー先端の
迫り上がりが低減或いは防止され、操作性が向上する。さらに、２段有るヒンジ部それぞ
れの太さを加減すること等で弾性力を変えることができるので、キーの動作や操作力の設
定幅が広がり、最適な操作性を有するキー装置を設計することが可能となる。
【００１８】
また、第２のアームがキーを通り越してから更にキーを押す方向と略反対方向に延びて
いることにより、従来からの問題点であるキー先端の迫り上がりを防止しつつ、更にキー
先端が下がるように設定することが可能となり、自然な操作感が得られて操作性が更に向
上する。
【発明を実施するための最良の形態】
【００１９】
以下、本発明の実施の形態について、図面を参照しながら説明する。
【実施例１】
【００２０】
図１は、本発明の実施例１に係るキー装置を示す図であり、同図（ａ）は側面断面図、
同図（ｂ）はキー部分の正面図である。同図に示すように、キー装置１のキー３は、例え
ば電子機器のフロントパネル２の前面に開けられた開口孔２ａから前方へ少し突出するよ
うにして、フロントパネル２内に取り付けられている。ここではフロントパネルの前側上
部に正面視左右方向に渡ってキー装置が配設される一般的な構成を示している。但し、配
設される位置はこれに限定されるものでは勿論なく、例えばフロントパネルの前側左部或
いは右部に上下方向に渡ってキー装置が配設される構成としても良い。
【００２１】
キーの具体的な取付構成としては、例えば同図において、キー３の後端部より上方へ短
い板状のアーム３ａが延びており、これはその上端にて左右一対のヒンジ部３ａａを介し
て、左右に延在する中継部３ｂに接続されている。さらに、中継部３ｂの左右端部よりそ
れぞれ下方へと長板状のアーム３ｃがキー３を通り越して延びており、これはその各下端
にてヒンジ部３ｃａを介して、隣接するキー（不図示）と連結するための連結部４に接続
されている。
【００２２】
連結部４は、フロントパネル２の前部内側面より後方に突設するボス５の先端に取り付
けられている。この場合、正面視左右方向に連設する各ボス５の先端より延びる突起５ａ
各々に、連結部４の長手方向に交互に連設された取付孔４ａ或いは４ｂが嵌合している。
そして、例えば突起５ａを溶着させることにより、連結部４がボス５の先端に固定されて
いる。なお、キー装置１は例えば弾力性のある樹脂材料により一体成形されている。
【００２３】
一方、キー３の後方にはスイッチ基板７が立設しており、この前面にはスイッチ６が装
着されている。スイッチ６の先端には押しボタン６ａが設けられており、ここが押される
とスイッチ６がＯＮとなる。さて、使用者が矢印Ａで示すようにキー３の先端を押すと、
ヒンジ部３ａａが撓んでアーム３ａが後方に傾きつつ、ヒンジ部３ｃａが撓んでアーム３
ｃも後方に傾く。そして、キー３の後端部に設けられた押圧部３ｄにより、押しボタン６
ａが押されてスイッチ６がＯＮされる。なお、同図（ａ）ではキー３が押されていない状
態（自然状態）を破線で示し、押された状態（押圧状態）を実線で示している。
【００２４】
図２は、本実施例におけるキー押圧時の動作を説明するイメージ図である。なお、同図
では押圧状態を誇張して描いてある。同図に示すように、本実施例では、キー３より上方
へ延びるアーム３ａの上端に位置するヒンジ部３ａａと、これより下方へキー３を通り越
して延びるアーム３ｃの下端に位置するヒンジ部３ｃａとが、キー３押圧時にはそれぞれ
矢印Ｂ，Ｃで示すように、互いに逆方向に回転する構成としている。
【００２５】
これにより、キー３自身の回転が或る程度打ち消されるので、従来からの問題点である
キー３先端の迫り上がりが低減或いは防止され、操作性が向上する。さらに、２段有るヒ
ンジ部それぞれの太さを加減すること等で弾性力を変えることができるので、キーの動作
や操作力の設定幅が広がり、最適な操作性を有するキー装置を設計することが可能となる
。
【実施例２】
【００２６】
図３は、本発明の実施例２に係るキー装置を示す図であり、同図（ａ）は側面断面図、
同図（ｂ）はキー部分の正面図である。同図に示すように、本実施例では、上記実施例１
の構成に加えて、アーム３ｃの下端部付近を前方即ちキー３を押す方向と略反対方向に延
ばした構成としている。具体的には、ボス５を短くしてその分だけアーム３ｃの下端部付
近を前方に延ばし、アーム３ｃが側面視略Ｌ字状となるようにしている。
【００２７】
さて、使用者が矢印Ａで示すようにキー３の先端を押すと、ヒンジ部３ａａが撓んでア
ーム３ａが後方に傾きつつ、ヒンジ部３ｃａが撓んでアーム３ｃも後方及び下方に傾く。
そして、キー３の後端部に設けられた押圧部３ｄにより、押しボタン６ａが押されてスイ
ッチ６がＯＮされる。なお、同図（ａ）ではキー３が押されていない状態（自然状態）を
破線で示し、押された状態（押圧状態）を実線で示している。
【００２８】
図４は、本実施例におけるキー押圧時の動作を説明するイメージ図である。なお、同図
では押圧状態を誇張して描いてある。同図に示すように、本実施例では、上記実施例１の
構成に加えて、上述したように、アーム３ｃの下端部付近を前方即ちキー３を押す方向と
略反対方向に延ばした構成としている。これにより、アーム３ｃが後方のみならず下方に
も傾くようになるので、従来からの問題点であるキー３先端の迫り上がりを防止しつつ、
更にキー３先端が下がるように設定することが可能となり、自然な操作感が得られて操作
性が更に向上する。
【図面の簡単な説明】
【００２９】
【図１】本発明の実施例１に係るキー装置を示す図。
【図２】実施例１におけるキー押圧時の動作を説明するイメージ図。
【図３】本発明の実施例２に係るキー装置を示す図。
【図４】実施例２におけるキー押圧時の動作を説明するイメージ図。
【図５】従来のキー装置の一例を示す図。
【図６】従来のキー装置の他例を示す図。
【符号の説明】
【００３０】
１    キー装置
２    フロントパネル
２ａ    開口孔
３    キー
３ａ，３ｃ    アーム
３ａａ，３ｃａ    ヒンジ部
３ｂ    中継部
４    連結部
４ａ，４ｂ    取付孔
５    ボス
５ａ    突起
６    スイッチ
６ａ    押しボタン
７    スイッチ基板
【図１】
2006216287.tif 000003
【図２】
2006216287.tif 000004
【図３】
2006216287.tif 000005
【図４】
2006216287.tif 000006
【図５】
2006216287.tif 000007
【図６】
2006216287.tif 000008